【事件の表示】
　平成　６年特許願第　９４２１１号「電子内視鏡装置」拒絶査定不服審判事件〔平成　７年１１月１４日出願公開、特開平　７−２９９０２５〕について、次のとおり審決する。
【結　論】
　本件審判の請求は、成り立たない。
【理　由】
１．手続の経緯
　本願は、平成６年５月６日の出願であって、平成１５年２月２４日付けで拒絶査定がなされ、これに対し、同年３月２６日に審判請求がなされるとともに、同日付けで手続補正がなされたものである。
　
２．平成１５年３月２６日付け手続補正についての補正却下の決定
[補正却下の決定の結論]
　平成１５年３月２６日付け手続補正書を却下する。
[理由]
（１）補正後の請求項２に記載された発明
　本件補正により、特許請求の範囲の請求項２は、次のとおりに補正された。
「【請求項２】赤色、緑色及び青色の三色の照明光を個別に被写体に向けて発光する一個又は複数からなる発光素子と、上記発光素子により上記三色で順次照明された被写体の像を撮像して電気信号に変換して出力する固体撮像素子とを内視鏡挿入部の先端に設け、上記発光素子と上記固体撮像素子の動作を制御するための制御手段を上記内視鏡が接続されるビデオプロセッサに設けた電子内視鏡装置であって、
　上記固体撮像素子の画素に関する情報を記憶した画素情報記憶手段を上記内視鏡側に設け、上記内視鏡が上記ビデオプロセッサに接続されたとき、上記制御手段が、上記画素情報記憶手段から画素情報を入力して、その画素情報に基づいて上記発光素子と固体撮像素子の動作を同期して制御するようにしたものにおいて、
　上記固体撮像素子としてフレームトランスファ方式の電荷結合素子を用い、上記発光素子による第１の色の照明の消灯直後に上記固体撮像素子からの信号転送が開始されて、その固体撮像素子の全画素からの信号転送終了と同時に第２の色の照明が点灯し、その第２の色の照明の消灯直後に上記固体撮像素子からの信号転送が開始されて、その固体撮像素子の全画素からの信号転送終了と同時に上記発光素子による第３の色の照明が点灯し、その第３の色の照明の消灯直後に上記固体撮像素子からの信号転送が開始されて、その固体撮像素子の全画素からの信号転送終了と同時に上記第１の色の照明が点灯するという動作を繰り返すように、上記制御手段が、遮光された蓄積部への上記固体撮像素子からの転送信号と上記発光素子の点灯及び消灯信号を同期して制御するようにしたことを特徴とする電子内視鏡装置。」
　
　上記補正は、請求項２に記載した発明の構成に欠くことができない事項である「照明光を被写体に向けて発光する発光素子」を「赤色、緑色及び青色の三色の照明光を個別に被写体に向けて発光する一個又は複数からなる発光素子」と限定し、「上記発光素子で照明された被写体の像を撮像して電気信号に変換して出力する固体撮像素子」を「上記発光素子により上記三色で順次照明された被写体の像を撮像して電気信号に変換して出力する固体撮像素子」と限定するものである。また、同請求項に記載した「上記固体撮像素子としてフレームトランスファ方式の電荷結合素子を用いて、上記制御手段が、遮光された蓄積部への上記固体撮像素子からの転送信号と上記発光素子の消灯信号を同期して制御するようにした」という発明の構成に欠くことができない事項を「上記発光素子による第１の色の照明の消灯直後に上記固体撮像素子からの信号転送が開始されて、その固体撮像素子の全画素からの信号転送終了と同時に第２の色の照明が点灯し、その第２の色の照明の消灯直後に上記固体撮像素子からの信号転送が開始されて、その固体撮像素子の全画素からの信号転送終了と同時に上記発光素子による第３の色の照明が点灯し、その第３の色の照明の消灯直後に上記固体撮像素子からの信号転送が開始されて、その固体撮像素子の全画素からの信号転送終了と同時に上記第１の色の照明が点灯するという動作を繰り返すように、上記制御手段が、遮光された蓄積部への上記固体撮像素子からの転送信号と上記発光素子の点灯及び消灯信号を同期して制御するようにした」と限定するものである。
　よって、上記補正は、平成６年法律第１１６号による改正前の特許法１７条の２第３項第２号に規定する特許請求の範囲の減縮を目的とするものに該当する。
　
　そこで、本件補正後の請求項２に記載された発明（以下、「本願補正発明」という。）が特許出願に際して独立して特許を受けることができるものであるか（平成６年法律第１１６号による改正前の特許法第１７条の２第４項において読み替えて準用する同法第１２６条第３項の規定に適合するか）について以下に検討する。
　
（２）引用例
　原査定の拒絶の理由に引用した特開平１−２５９８３３号公報（以下、「引用例」という。）には、次の事項が記載されている。
　
（ア）「［作用］
  本発明では、内視鏡が接続される制御装置にはインターライン転送，フレーム転送，ライン転送の各転送方式の固体撮像素子に適合する駆動回路が設けられている。接続された内視鏡に適合する駆動回路と信号処理回路とが切換スイッチによって選択され、この選択された駆動回路によって固体撮像素子より読み出された映像信号は制御装置内のインターライン転送，フレーム転送，ライン転送の各転送方式に適合して信号処理を行うことのできる信号処理回路に入力される。」（第２頁左下欄第１７行〜右下欄７行）
（イ）「第２図において、内視鏡システム１は光源装置と映像信号処理を行うビデオプロセッサとが収納され、カラーモザイク式の各種のスコープ（内視鏡）2A,2B,2Cのいずれをも接続可能とする制御装置1aを備えている。」（第２頁右下欄第１８行〜第３頁左上欄第２行）
（ウ）「また、LT式電子スコープ2AおよびIT方式電子スコープ2Bには、スコープ識別用タイプ信号を出力するタイプ信号発生回路27が設けられており、信号用コネクタ６を介して制御装置1a内の識別回路28で識別されるようになっている。」（第４頁左上欄第１５行〜第１９行）
（エ）「なお、タイプ信号発生回路27は、例えば２つの端子間にそれぞれ異なる抵抗値、例えばLT方式の場合には10kΩ、IT方式の場合には０Ω（導通）、ファイバスコープの場合には∞Ω（開放）というような値の抵抗を接続して形成され、一方、識別回路28は、２つの端子間の抵抗値をコンパレータ等を用いていずれかの抵抗値のスコープが接続されたを識別できるようになっている。」（第４頁左下欄第２０行〜右下欄第７行）
（オ）「本実施例は面順次式の信号処理を行うようにしたものである。
　なお、第１実施例と同様の構成には同一の符号を付けて説明を省略する。  第５図において、光源部15aには、白色光を出射できる光源ランプ31を備え、この光源ランプ31より出射した照明光は平行光レンズ35によって平行光とされて集光レンズ34によって集光され、ライトガイド14の入射端面に入射するようになっている。この平行光レンズ35と集光レンズ34との間には、赤（Ｒ），緑（Ｇ），青（Ｂ）の３原色の色透過フィルタを有し、モータ32a,32bによって所定の速度で各々回転駆動されるIT方式用回転フィルタ33aとLT方式用回転フィルタ33bとが光路上に介装できるように移動自在に設けられている。この回転フィルタ33a,33bは各々移動制御回路53によって移動を制御されるようになっており、更に、この移動制御回路53には識別回路28より制御装置1aに接続されたスコープの転送方式を表す信号が入力されるようになっている。」（第６頁左上欄第３行〜右上欄第３行）
（カ）「また、IT式電子スコープ2Bが接続された場合には、識別回路28がタイプ信号発生回路27よりの信号によってIT式電子スコープ2Bが接続されたことを検知する。識別回路28は１入力−２出力切換スイッチ103Aと２入力−１出力切換スイッチ103Bとを切換て、入力端103aと出力端103cとを接続し、入力端103fと出力端103eとを接続する。更に、２入力−１出力切換スイッチ104を切換えて入力端104cと出力端104bとを接続する。また、識別回路28は移動制御回路53にIT式電子スコープ2Bが接続されたことを表す制御信号を出力する。
　ここで、IT方式の固体撮像素子18はLT方式の固体撮像素子18とは異なり、感光部に蓄積された電荷を一度に転送できる転送部が設けられており、このためにLT方式に比べ転送時間が短い。従って、移動制御回路53は第６図（ｂ）のようにLT式電子スコープ2Aが接続された場合に比べ短い遮光期間の回転フィルタ33aを光路上に挿入する。回転フィルタ33aはモータ32aによって回転され、光源ランプ31を出射した照明光が色透過フィルタ36R,36G,36Bを透過することによってR,G,Bの色光をライトガイド14の入射端面に照射する。この照明光はライトガイド14を伝送された被写体を照明し、被写体像を固体撮像素子18の撮像面に結像する。回転フィルタ33aの透過期間に固体撮像素子18は光学像を光電変換して感光部に電荷を蓄積する。この蓄積された電荷は照明光の遮光と同時にIT方式用ドライバ26bの出力する駆動クロックを印加されて転送部に転送され、更にこの転送部より読み出される。この読み出された画像信号はプリアンプ24で増幅され切換スイッチ103Aを介してIT方式用プロセイス回路42bに入力される。」（第７頁左上欄第１６行〜左下欄第１１行）。
　
（３）対比
　本願補正発明と引用例に記載された発明とを対比すると、まず、引用例に記載された発明の「電子スコープ」、「内視鏡用制御装置」、「内視鏡システム」は、上記（イ）の記載事項及び第１図，第２図からして、それぞれ本願補正発明の「内視鏡」、「ビデオプロセッサ」、「電子内視鏡装置」に相当する。また、引用例に記載された発明の、スコープ識別用タイプ信号を出力するタイプ信号発生回路は、上記（ウ），（エ）の記載事項からして、固体撮像素子における画素間の転送方式に関する情報を保持していることから、本願補正発明の、固体撮像素子の画素に関する情報を記憶した画素情報記憶手段に相当するものと言える。
　
　したがって、両者は、
「赤色、緑色及び青色の三色の照明光を個別に被写体に向けて照射する光源装置と、内視鏡挿入部の先端に設けられた、上記光源装置により上記三色で順次照明された被写体の像を撮像して電気信号に変換して出力する固体撮像素子と、上記光源装置と上記固体撮像素子の動作を制御するための制御手段を上記内視鏡が接続されるビデオプロセッサに設けた電子内視鏡装置であって、
　上記固体撮像素子の画素に関する情報を記憶した画素情報記憶手段を上記内視鏡側に設け、上記内視鏡が上記ビデオプロセッサに接続されたとき、上記制御手段が、上記画素情報記憶手段から画素情報を入力して、その画素情報に基づいて上記光源装置と上記固体撮像素子の動作を同期して制御するようにした電子内視鏡装置。」の点で一致し、次の点で相違する。
[相違点１]
　本願補正発明は、内視鏡挿入部の先端に設けられた、赤色、緑色及び青色の三色の一個又は複数からなる発光素子を、個別に被写体に向けて発光させるのに対し、引用例に記載された発明は、光源から射出される白色光を、所定速度で回転駆動される、赤色、緑色及び青色の三色の色透過フィルタを有する回転フィルタを通してライトガイドに入射させ、該ライトガイドを伝送した光を被写体に向けて照射させる点。
[相違点２]
　本願補正発明は、固体撮像素子としてフレームトランスファ方式の電荷結合素子を用い、発光素子による第１の色の照明の消灯直後に上記固体撮像素子からの信号転送が開始されて、その固体撮像素子の全画素からの信号転送終了と同時に第２の色の照明が点灯し、その第２の色の照明の消灯直後に上記固体撮像素子からの信号転送が開始されて、その固体撮像素子の全画素からの信号転送終了と同時に上記発光素子による第３の色の照明が点灯し、その第３の色の照明の消灯直後に上記固体撮像素子からの信号転送が開始されて、その固体撮像素子の全画素からの信号転送終了と同時に上記第１の色の照明が点灯するという動作を繰り返すように、制御手段が、遮光された蓄積部への上記固体撮像素子からの転送信号と上記発光素子の点灯及び消灯信号を同期して制御しているのに対し、引用例に記載された発明は、固体撮像素子としてインターライン転送方式を用い、制御手段が、照明光が遮光されると同時に、上記固体撮像素子から転送部へ信号を転送するという動作を繰り返すように制御している点。
　
（４）判断
・相違点１について
　電子内視鏡装置においては、モノクロタイプの電荷結合素子からなる固体撮像素子を用いて、照明光を赤、緑そして青に順に変化させて撮像し、それによって時間をずらして得られる三色の映像を一つに合成するＲＧＢ面順次方式が広く採用されており、このような電子内視鏡装置における被写体の照明方式として、内視鏡の挿入部先端に配置したＲ，Ｇ，Ｂの三色の発光素子を順に点灯させて照明を行う発光素子方式は、この出願前に周知の技術（例えば、特開昭６３−３０９９１２号公報等を参照されたい。）である。
　よって、引用例に記載された発明は、本願補正発明と同じように、ＲＧＢ面順次方式の電子内視鏡装置であるから、引用例に記載された発明において周知の技術を適用することにより、相違点１に係る本願補正発明の構成とすることは、当業者であれば容易に想到し得ることである。
　
・相違点２について
　引用例には、固体撮像素子としてインターライン転送方式を用い、照明光が遮光されると同時に、上記固体撮像素子から転送部へ信号を転送するという動作を繰り返すように制御する技術が記載されている。
　また、引用例には、「なお、IT方式用プロセス回路41bに代えてフレーム転送方式用プロセス回路を設けてもよい。」（第５頁右下欄第３行〜第４行）と記載されているように、インターライン転送方式に替えてフレーム転送方式を採用できる点が示されており、フレーム転送方式を用いる場合、固体撮像素子からの信号は遮光された蓄積部に転送することは、本願出願当時の技術常識に照らしても明らかである。
　一方、電子内視鏡装置においてフレームレートの向上は周知の技術的課題であって、引用例における「ここで、IT方式の固体撮像素子18はLT方式の固体撮像素子18とは異なり、感光部に蓄積された電荷を一度に転送できる転送部が設けられており、このためにLT方式に比へ転送時間が短い。従って、点灯制御回路52は第３図（ｃ）のようにLT式電子スコープが接続された場合に比べ短い消灯期間となるように光源ランプ31を制御して点灯と消灯を繰返す。」（第５頁右上欄第１３行〜第２０行）という記載や第３図からしても、固体撮像素子からの信号転送が終了した後、次の色の点灯を行うまでの時間はフレームレートの向上のためには短い程よいことは明らかであるから、固体撮像素子からの信号転送の終了と同時に次の色の照明を点灯するように制御することは、当業者であれば適宜設計し得ることである。
　そうしてみると、固体撮像素子としてフレームトランスファ方式の電荷結合素子を用いて、最初の色の照明が消灯されると同時に固体撮像素子から遮光された蓄積部へ信号転送を開始させ、また、その固体撮像素子からの信号転送の終了と同時に次の色の照明を点灯させるという動作を繰り返すように制御することは、当業者において格別の創意を要したこととは言えない。
　よって、この点を考慮すると、相違点２に係る本願補正発明の構成は、当業者であれば容易に想到し得ることである。
　
　そして、本願補正発明の作用効果も、引用例に記載された発明、及び周知の技術から当業者であれば予測できる範囲のものである。
　したがって、本願補正発明は、引用例に記載された発明、及び周知の技術に基づいて当業者が容易に発明をすることができたものであるから、特許法第２９条第２項の規定により、特許出願の際に独立して特許を受けることができない。
　
（５）むすび
　以上のとおり、本件補正は、平成６年法律第１１６号による改正前の特許法第１７条の２第４項において読み替えて準用する同法第１２６条第３項の規定に違反するものであり、特許法第１５９条第１項の規定で読み替えて準用する同法第５３条第１項の規定により却下すべきものである。
　
３．本願発明について
（１）本願発明
　平成１５年３月２６日付けの手続補正は上記のとおり却下されたので、本願の請求項２に係る発明（以下、「本願発明」という。）は、平成１４年６月２６日付け手続補正書の特許請求の範囲の請求項２に記載された次のとおりのものである。
「【請求項２】照明光を被写体に向けて発光する発光素子と、上記発光素子で照明された被写体の像を撮像して電気信号に変換して出力する固体撮像素子とを内視鏡挿入部の先端に設け、上記発光素子と上記固体撮像素子の動作を制御するための制御手段を上記内視鏡が接続されるビデオプロセッサに設けた電子内視鏡装置であって、
　上記固体撮像素子の画素に関する情報を記憶した画素情報記憶手段を上記内視鏡側に設け、上記内視鏡が上記ビデオプロセッサに接続されたとき、上記制御手段が、上記画素情報記憶手段から画素情報を入力して、その画素情報に基づいて上記発光素子と固体撮像素子の動作を同期して制御するようにしたものにおいて、
　上記固体撮像素子としてフレームトランスファ方式の電荷結合素子を用いて、上記制御手段が、遮光された蓄積部への上記固体撮像素子からの転送信号と上記発光素子の消灯信号とを同期して制御するようにしたことを特徴とする電子内視鏡装置。」
　
（２）引用例
　原査定の拒絶の理由に引用された引用例、及びその記載事項は前記「２．（２）」に記載したとおりである。
　
（３）対比・判断
　本願発明は、前記２．で検討した本願補正発明から「赤色、緑色及び青色の三色の照明光を個別に被写体に向けて発光する一個又は複数からなる発光素子」の限定事項である「赤色、緑色及び青色の三色の」との構成を省き、「上記発光素子により上記三色で順次照明された被写体の像を撮像して電気信号に変換して出力する固体撮像素子」の限定事項である「上記三色で順次」との構成を省いたものである。同じく「上記固体撮像素子としてフレームトランスファ方式の電荷結合素子を用い、上記発光素子による第１の色の照明の消灯直後に上記固体撮像素子からの信号転送が開始されて、その固体撮像素子の全画素からの信号転送終了と同時に第２の色の照明が点灯し、その第２の色の照明の消灯直後に上記固体撮像素子からの信号転送が開始されて、その固体撮像素子の全画素からの信号転送終了と同時に上記発光素子による第３の色の照明が点灯し、その第３の色の照明の消灯直後に上記固体撮像素子からの信号転送が開始されて、その固体撮像素子の全画素からの信号転送終了と同時に上記第１の色の照明が点灯するという動作を繰り返すように、上記制御手段が、遮光された蓄積部への上記固体撮像素子からの転送信号と上記発光素子の点灯及び消灯信号を同期して制御するようにした」の限定事項である「上記発光素子による第１の色の照明の消灯直後に上記固体撮像素子からの信号転送が開始されて、その固体撮像素子の全画素からの信号転送終了と同時に第２の色の照明が点灯し、その第２の色の照明の消灯直後に上記固体撮像素子からの信号転送が開始されて、その固体撮像素子の全画素からの信号転送終了と同時に上記発光素子による第３の色の照明が点灯し、その第３の色の照明の消灯直後に上記固体撮像素子からの信号転送が開始されて、その固体撮像素子の全画素からの信号転送終了と同時に上記第１の色の照明が点灯するという動作を繰り返すように」との構成と、同記載の限定事項である「点灯及び」との構成とを省いたものである。
　
　そうすると、本願発明の構成要件を全て含み、さらに他の構成要件を付加したものに相当する本願補正発明が、前記「２．（４）」に記載したとおり、引用例に記載された発明、及び周知の技術に基づいて当業者が容易に発明をすることができたものであるから、本願発明も、同様の理由により、引用例に記載された発明、及び周知の技術に基づいて当業者が容易に発明をすることができたものである。
　
（４）むすび
　以上のことから、本願発明は、引用例に記載された発明、及び周知の技術に基づいて当業者が容易に発明をすることができたものであるから、特許法第２９条第２項の規定により特許を受けることができない。
　したがって、請求項１に係る発明についての検討・判断を示すまでもなく、本願は拒絶されるべきものである。
　よって、結論のとおり審決する。